(57)【特許請求の範囲】
【請求項１】
ハンドル及びシャフトを形成する筐体であって、前記シャフトは前記ハンドルから延在し、前記シャフトの遠位端から前記ハンドルを通過する吸引チャネルを画定する筐体；
前記ハンドルから前記シャフトを通って前記シャフトの遠位端まで延在する導電体；及び、
前記ハンドルで前記吸引チャネルに連結された吸引コントロールバルブであって、前記吸引コントロールバルブは、
第１のチャネルと、前記第１のチャネルに連結された第２のチャネルと、を有するバルブ本体であって、前記第１のチャネルは前記吸引チャネルの一部分を形成し、前記第２のチャネルは、前記バルブ本体の外周面まで延在して開口部を形成し、バルブ本体；及び、
前記バルブ本体に回転可能に連結されているバルブバレルであって、前記バルブバレルは、前記ハンドルの周りに延在、かつ、前記筐体の一部分を形成する回転可能なリングを備え、前記リングは、前記リングが前記バルブ本体の周りを回転するときに、前記バルブ本体の前記外周面上で前記第２のチャネルの前記開口部と組み合う及び外れるように回転するように構成されたオリフィスを備え、前記オリフィスは、概して円形の断面を有する第１のセクションと、前記第１のセクションから前記リングの周囲方向に延在する概して非円形の断面を有する第２のセクションと、を有する、吸引コントロールバルブ；
を備えることを特徴とする器具。
【請求項２】
前記リングは、前記ハンドルの長軸と揃えられた回転中心軸の周りを回転可能に前記ハンドルに連結されることを特徴とする請求項１に記載の器具。
【請求項３】
前記リングは、リングの外側面から延在する複数のリッジを備え、かつ、前記オリフィスは、２つの前記リッジ間に位置することを特徴とする請求項１に記載の器具。
【請求項４】
前記バルブ本体は、前記ハンドルの後端から延在する突出部を備え、前記第１のチャネルは前記突出部を貫通して延在し、前記突出部は、前記突出部の上に設置された吸引管を有するように構成されることを特徴とする請求項１に記載の器具。
【請求項５】
前記バルブ本体は、貫通穴を備え、前記貫通穴を通って導電体を延在させることを特徴とする請求項１に記載の器具。
【請求項６】
前記リングは、前記ハンドルの後端部周辺に位置することを特徴とする請求項１に記載の器具。
【請求項７】
前記吸引コントロールバルブは、完全に開いた位置、完全に閉じた位置、及び、少なくとも１つの部分的に開いた位置を備えることを特徴とする請求項１に記載の器具。
【請求項８】
前記少なくとも１つの部分的に開いた位置は、使用者が前記吸引チャネルに侵入する空気量を様々に調整し、これにより、前記シャフトの遠位端での吸引を変化させることができるようにするために、複数の部分的に開いた位置を備えることを特徴とする請求項７に記載の器具。
【請求項９】
前記バルブバレルは、使用者が手で前記筐体を前記ハンドルで把持すると、使用者の手の指によって動かされるように構成されることを特徴とする請求項１に記載の器具。
【請求項１０】
所定値で前記バルブバレルを係止するように構成されたロックをさらに備えることを特徴とする請求項１に記載の器具。
【請求項１１】
所定位置で前記バルブバレルを付勢するように構成されたバイアスシステムをさらに備えることを特徴とする請求項１０に記載の器具。
【発明の詳細な説明】
【技術分野】
【０００１】
例示的かつ非限定的な実施形態は、概して医療機器に関し、より具体的には吸入コントロールを有する医療機器に関する。
【背景技術】
【０００２】
例えば、砕石器などのいくつかの医療機器は、患者の内側から流体及びデブリを取り除くための吸引を備える。
【発明の概要】
【発明が解決しようとする課題】
【０００３】
以下の概要は、単に例示的な意味である。概要は特許請求の範囲を限定するものではない。
【０００４】
一態様において、例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブ；を備える装置において提供され得る。吸引コントロールバルブは、第１のチャネルと、第１のチャネルに連結された第２のチャネルと、を有するバルブ本体を備え、第１のチャネルは吸引チャネルの一部分を形成し、バルブバレルはバルブ本体に回転可能に連結され、バルブバレルは、ハンドルの周りに延在、かつ、筐体の一部分を形成する回転可能なリングを備え、リングは、リングがバルブ本体の周りを回転するように、第２のチャネルの端部と組み合う及び外れるように回転するように構成されたオリフィスを備える。
【０００５】
別の態様によると、例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブを備える器具において提供され得る。吸引コントロールバルブは、ハンドルの長軸に揃えられている回転中心軸の周りに回転可能にハンドルに連結されたリングを備える空気入口コントロールバルブを備える。
【０００６】
別の態様によると、例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブを備える器具において提供され得る。吸引コントロールバルブはハンドルに回転可能に連結された空気入口バルブ部材を備え、空気入口バルブ部材は、空気測定オリフィスを備え、空気入口バルブ部材は、空気吸引チャネルに連結された空気入口穴内への入口に対して空気測定オリフィスを回転させてシャフト内の吸引チャネル内の吸引を変化させるように構成され、かつ、空気測定オリフィス及び／または空気入口穴への入口は、非円形の断面を備える。
【０００７】
別の態様によると、例示的な方法は、ハンドル及びシャフトを有する器具の筐体を用意するステップであって、シャフトはハンドルから延在し、筐体は、シャフトの遠位端からハンドルを通過する吸引チャネルを画定する、ステップ；ハンドルを通ってシャフトの遠位端まで延在する導電体を用意するステップ；及び、ハンドル内のバルブ本体にバルブバレルを連結するステップであって、バルブバレルは、ハンドルの周りに延在し、かつ、筐体の一部分を形成する回転可能なリングを備え、リングは、リングがバルブ本体の周りで回転される際に、バルブ本体の空気入口オリフィスと組み合う及び外れるように回転するように構成された孔を備える、ステップ；を備える。
【０００８】
別の態様によると、例示的な方法は、医療機器のハンドル及びシャフトを通って延在する吸引チャネル内の吸引を提供するステップ；及び、医療機器のシャフト内の吸引を変化させるためにハンドル上のリングを回転するステップであって、リングは、空気絞り口を備え、リングは、ハンドルで吸引チャネルに連結された空気入口穴への入口に対して空気絞り口を回してシャフト内の吸引チャネルの吸引を変化させ、空気絞り口及び／または空気入口穴への入口は、非円形断面を備える、ステップ；を備える。
【０００９】
前述の態様及び他の特徴は、添付する図面と関連した以下の説明で説明される。
【図面の簡単な説明】
【００１０】
【図１】電気手術機器の例を示す概略図である。
【図２】図１に示す装置の部分的な側面図である。
【図３】図２に示す装置のいくつかの構成部品の展開図である。
【図４】図３に示すバルブ本体の側面図である。
【図５】部分的に切り取られたセクションを有する図３に示すバルブ本体の側面図である。
【図６】図４及び図５に示すバルブ本体の断面図である。
【図７】図１〜図３に示すバルブバレルの端部図である。
【図８】図７に示すバルブバレルの線８−８に沿った断面図である。
【図９】図８に示すバルブバレルにおけるオリフィスの拡大図である。
【図１０Ａ】バルブ本体に対するバルブバレルの位置に基づいて作り出される異なるサイズの孔を有する、介在する部分的に開いたバルブピストンを示す図である。
【図１０Ｂ】バルブ本体に対するバルブバレルの位置に基づいて作り出される異なるサイズの孔を有する、介在する部分的に開いたバルブピストンを示す図である。
【図１０Ｃ】バルブ本体に対するバルブバレルの位置に基づいて作り出される異なるサイズの孔を有する、介在する部分的に開いたバルブピストンを示す図である。
【図１０Ｄ】バルブ本体に対するバルブバレルの位置に基づいて作り出される異なるサイズの孔を有する、介在する部分的に開いたバルブピストンを示す図である。
【図１１】代替の例示的な実施形態の特徴を示す略図である。
【発明を実施するための形態】
【００１１】
図１を参照すると、例示的な実施形態の特徴を組み入れる電気手術機器システム１０の概略図が示される。特徴が図に示される例示的な実施形態を参照に説明されるだろうが、特徴は多くの代替形式の実施形態で実施され得ることが理解されるべきである。さらに、要素のまたは材料の任意の適切なサイズ、形状、または、タイプが使用され得る。
【００１２】
電気手術機器システム１０は、器具１２、真空または吸引源１６、コントロールユニット１８、及び、例えば壁のコンセント等からの電源２０を含む。吸引源１６は、壁に設けられた設備吸引口への取り付けによって設けられるような外部吸引源であり得る。そこに導電体２２を有する電気ケーブル２１は、コントロールユニット１８から器具１２内に延在する。
【００１３】
この例示的な実施形態では、器具１２は、砕石機（砕石術で結石を粉砕または壊すために使用される装置）である。しかしながら、本願明細書に説明されるような特徴は、他のタイプの医療機器で使用され得る。図２も参照すると、器具１２は、通常、ハンドル２６及びシャフト２８を少なくとも部分的に形成する筐体２４を備える。シャフト２８は、一般的な片持ち様式でハンドル２６から延在する。器具１２は、吸引チャネル３０を有する。吸引チャネル３０の後端部３４は、そこに連結された吸引管３６を有するように構成される。吸引管３６は、吸引チャネル３０を吸引源１６に連結する。導電体２２も、ハンドル２６及びシャフトを通って遠位端部３２に向かって延在する。液体及び／または気体流体源（図示せず）は、施術中に使用者／医師によって使用される内視鏡またはアクセスシース（access sheath）（図示せず）に連結され、器具１２の遠位端部３２の場所付近に流体を提供し得る。
【００１４】
器具１２は、調整可能吸引コントロールバルブまたは空気入口バルブ３８を含む。図３を参照すると、バルブ３８の構成部品のいくつかの展開斜視図が示される。バルブ３８は、通常、バルブ本体４０及びバルブバレルまたはアクチュエータ４２を備える。バルブ本体４０は、筐体２４の部材４４に固定具（図示せず）によって、固くかつ動かないように取り付けられる。バルブバレル４２は、バルブ本体４０に回転可能に連結される。代替の例示的な実施形態では、バルブは、バルブ本体内に突出するバルブアクチュエータとしてバルブステムを備え得る。
【００１５】
図４〜図６を参照すると、バルブ本体４０は、第１のチャネル４６、第２のチャネル４８、固定穴５０、導電体穴５２、前方突出部５４、及び、後方突出部５６を備える一繋部材である。第１のチャネル４６は、吸引チャネル３０の一部を形成する。第１のチャネル４６は、前方及び後方突出部５４、５６を貫通して延在する。第２のチャネル４８は、第１のチャネル４６と交差し、かつ、バルブ本体４０の横側面まで延在する。この例示的な実施形態は、１つだけの第２のチャネル４８を有するバルブ本体を示す。しかしながら、代替の例では、例えば、バルブ本体の真ん中の長軸を中心に異なる半径角度で配置されるように２つ以上の第２のチャネル４８が設けられ得る。凹座面５８は、その中にシール材６０を有する第２のチャネル４８への入口に位置する。シール材６０はそこに貫通する穴６２を有する。
【００１６】
バルブ本体４０は、前方端部６８にレッジ６６を有するメインセクション６４を有する。レッジ６６は、バルブバレル４２の内側方向に延在するリム７０（図８を参照）を受容するように寸法及び形状を有する。また、前方端部６８は、レッジ６６から内側半径方向に延在する凹部７２を含む。この実施形態では、凹部７２は、約４５°のバルブ本体４０の長手方向の中心線７４に対する角度を有する。しかしながら、代替の実施形態では、角度は４５°より大きくまたは小さくてもよい。例えば、角度は約６０であり得る。
【００１７】
また、図７〜図９を参照すると、バルブバレル４２は、通常、リングまたはリング形状部材７６を備える。リング７６は、リング７６の中心孔８４で外側横側面８０と内側側面８２との間を貫通するオリフィス７８を有する。リング７６はこの例では単一のオリフィス７８を有する。しかしながら、代替の例では、リングは、孔８４の中心線を中心に異なる半径方向角に位置するような２つ以上のオリフィスを備え得る。この例では、外側横側面８０は、突出部またはリッジ８６と、突出部８６の間の凹領域８８を備える。オリフィス７８内への入口は、２つの突出部８６の間の凹領域８８の１つに位置する。突出部８６は、使用者の指が接触するための隆起領域を提供する。突出部またはリッジ８６は、使用者の指がリング７６から滑り離れることなしにより容易にバルブ本体４０の周りでバルブバレル４２を回転させる。
【００１８】
バルブバレル４２のリム７０は、バルブ本体４０のレッジ６６に位置する。リム７０は、バルブ本体４０と部材４４との間に回転可能に補足される。これにより、バルブ本体４０が固定具によって部材に動かないように取り付けられる際、バルブバレル４２は固く、しかし、バルブ本体４０の周りを回転可能に取り付けられる。リング７６の内側側面８２は、リム７０に足して、内側方向に延在する突出部９０を含む。突出部９０は、凹部７２より小さく、これにより、バルブバレル４２は、バルブ本体４０の周りを回転できる。突出部９０は、凹部の対向する面に接触して、バレル本体の周りのバルブバレルの回転を制限することができる。これにより、突出部９０及び凹部７２は、バルブ本体４０の周りにバルブバレル４２の軸回転を例えば３０°〜９０°の角度などの所定の回転角度に限定するための回転制限器として機能する。
【００１９】
特に図９を参照すると、この例におけるオリフィス７８は、概ね非円形の断面形状を有する入口を有する。この例では、形状は、概ね円形の断面を有する第１のセクション９２と概ね非円形の断面を有する第２のセクションとを備える。この例では、第２のセクション９４は、先細の端部９６を有する概して長細い形状を有する。代替の例示的な実施形態では、２つより多いまたは少ないセクションが設けられ得、また、この例で示される形状とは異なる形状で形成され得る。
【００２０】
オリフィス７８は、第２のチャネル４８内への入口用の空気入口穴を形成する。バルブ本体４０の第２のチャネル４８内への入口に対するバルブバレル４２の位置決めと組み合わせて、オリフィス７８の形状は、特に、シャフト２８の遠位端部３２での吸引チャネル内への入口で、吸引チャネル４６内の吸引を変化させるために使用される。
【００２１】
バルブバレル４２は、バルブの完全に閉じた第１の位置とバルブの完全に開いた第２の位置との間においてバルブ本体４０上で回転可能である。完全に閉じた位置は、第２のチャネル４８への入口に位置決めされるオリフィス７８の一部以外の第２のチャネル４８への入口を完全に塞いでいるバルブバレル４２を備える。これにより、大気が、バルブバレル４２を通過して第２のチャネル４８への入口に侵入することを防ぐ。シール６０は、リング７６と伴に第２のチャネル４８への入口を密封する。
【００２２】
バルブの完全に開いた位置は、第２のチャネル４８の入口に揃えられているオリフィス７８の第２のセクション９２を備え、これにより、リング７６は、空気が第２のチャネル４８に入ることを実質的に遮断しない。オリフィス７８の第１のセクション９２の断面寸法及び形状は、第２のチャネル４８と大よそ同じ断面寸法及び形状である。バルブ３８から吸引チャネル３０内への空気の流れは、シャフト２８の遠位端部３２での吸引チャネル３０への入口での吸引を減少させる。
【００２３】
バルブ３８は、この例示的な実施形態では、完全に閉じた位置と完全に開いた位置との間の複数の中間の部分的に開いた位置を有する。また、図１０Ａ〜図１０Ｄ参照すると、中間の部分的に開いた位置のいくつかの例が示される。バルブ本体に対するバルブバレルの位置に基づいて、オリフィスと第２のチャネル４８への入口とを通過する孔が、バルブバレルを通って第２のチャネル４８へ入ることができる空気量を変えるように変化する。例えば、図１０Ａから図１０Ｄの例に亘って孔のサイズは大きくなる。
【００２４】
バルブ３８は、真空または吸引圧を減少させるためのハンドルの側面を通過する空気の侵入を使用する吸引コントロール設計をもたらすように使用され得る。吸引コントロールリングは、空気流を制限するオリフィス形状を有し、従って、吸引流をオンまたはオフに単に設定するのではなく、調整することを可能にする。
【００２５】
また、図１１を参照すると、器具の例示的な実施形態は、ロック１００と、バルブ３８のアクチュエータ４２に連結されたバイアスシステム１０２と、を備える。ロック１００は、バルブ本体４０に対するアクチュエータ４２の位置を係止するように構成され得る。ロック１００は、例えば、使用者操作するロックであり得る。ロック１００は、バルブ３８の位置が不注意に変わることを防ぐのに役立つように構成され得る。バイアスシステム１０２は、例えば、バルブ本体４０に対する所定の位置でアクチュエータ４２に付勢するように適合されたバネを備え得る。例えば、バネは、バルブ３８が完全に開いた位置を有するようにハンドル２６上の位置でアクチュエータ４２に付勢し得る。例示的な実施形態の一タイプでは、バルブ３８は、完全に開いた位置までバイアスシステム１０２によって付勢されるだろうが、使用者はアクチュエータ４２を完全に閉じた、または、部分的に閉じた位置まで手動で動かし、アクチュエータ４２をロック１００によってその位置で係止し得る。バイアスシステムは、開いた位置において空気の侵入を維持し、かつ、係止部材が、所望の回転でバルブアクチュエータの位置を保持するように使用され得る。
【００２６】
例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブ；を備える装置において提供され得る。吸引コントロールバルブは、第１のチャネルと、第１のチャネルに連結された第２のチャネルと、を有するバルブ本体を備え、第１のチャネルは吸引チャネルの一部分を形成し、バルブバレルはバルブ本体に回転可能に連結され、バルブバレルは、ハンドルの周りに延在し、かつ、筐体の一部分を形成する回転可能なリングを備え、リングは、リングがバルブ本体の周りを回転するときに第２のチャネルの端部と組み合う及び外れるように回転するように構成されたオリフィスを備える。
【００２７】
オリフィスは、非円形の断面を備え得る。オリフィスは、概して円形の断面を有する第１のセクションと、概して非円形の断面を有する第２のセクションを備え得る。リングは、ハンドルの長手方向軸と揃えられた回転中心軸の周りを回転可能にハンドルに連結され得る。リングは、リングの外側面から延在するリッジを備え得、オリフィスは、２つのリッジ間に位置する。バルブ本体は、ハンドルの後端部から外に延在する突出部を備え、第１のチャネルは突出部を貫通して延在し、突出部は、その上に設置された吸引管を有するように構成される。バルブ本体は、そこを通って延在させる導電体を有する貫通穴を備え得る。リングは、ハンドルの後端部周辺に位置し得る。吸引コントロールバルブは、完全に開いた位置、完全に閉じた位置、及び、少なくとも１つの部分的に開いた位置を備え得る。少なくとも１つの部分的に開いた位置は、使用者が吸引チャネルに侵入する空気量を様々に調整し、これにより、シャフトの遠位端での吸引を変化させることができるようにするために、複数の部分的に開いた位置を備え得る。バルブバレルは、使用者が手で筐体をハンドルで把持すると、使用者の手の指によって動かされるように構成され得る。
【００２８】
例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブであって、ハンドルの長軸に揃えられている回転中心軸の周りに回転可能にハンドルに連結されたリングを備える空気入口コントロールバルブを備える吸引コントロールバルブ；を備える器具において提供され得る。
【００２９】
例示的な実施形態は、ハンドル及びシャフトを形成する筐体であって、シャフトはハンドルから延在し、シャフトの遠位端からハンドルを通過する吸引チャネルを画定する筐体；ハンドルからシャフトを通ってシャフトの遠位端まで延在する導電体；及び、ハンドルで吸引チャネルに連結された吸引コントロールバルブであって、吸引コントロールバルブはハンドルに回転可能に連結された空気入口バルブ部材を備え、空気入口バルブ部材は、空気測定オリフィスを備え、空気入口バルブ部材は、空気吸引チャネルに連結された空気入口穴内への入口に対して空気測定オリフィスを回転させてシャフト内の吸引チャネル内の吸引を変化させるように構成され、かつ、空気測定オリフィス及び／または空気入口穴への入口は、非円形の断面を備える、吸引コントロールバルブ；を備える器具において提供され得る。
【００３０】
例示的な方法は、ハンドル及びシャフトを有する器具の筐体を用意するステップであって、シャフトはハンドルから延在し、筐体は、シャフトの遠位端からハンドルを通過する吸引チャネルを画定する、ステップ；ハンドルを通ってシャフトの遠位端まで延在する導電体を用意するステップ；及び、ハンドル内のバルブ本体にバルブバレルを連結するステップであって、バルブバレルは、ハンドルの周りに延在し、かつ、筐体の一部分を形成する回転可能なリングを備え、リングは、リングがバルブ本体の周りで回転するときに、バルブ本体の空気入口オリフィスと組み合う及び外れるように回転するように構成された孔を備える、ステップ；を備え得る。
【００３１】
例示的な方法は、医療機器のハンドル及びシャフトを通って延在する吸引チャネル内の吸引を提供するステップ；及び、医療機器のシャフト内の吸引を変化させるためにハンドル上のリングを回転するステップであって、リングは、空気絞り口を備え、リングは、ハンドルで吸引チャネルに連結された空気入口穴への入口に対して空気絞り口を回してシャフト内の吸引チャネルの吸引を変化させ、空気絞り口及び／または空気入口穴への入口は、非円形断面を備える、ステップ；を備え得る。
【００３２】
前述の説明は、単に実例であることが理解されるべきである。種々の代替案及び変更が当業者によって考案され得る。例えば、種々の従属項に記載された特徴が任意の適切な組み合せにおいて互いに組み合わされ得る。さらに、上述の異なる実施形態の特徴が新しい実施形態へと選択的に組み合され得る。従って、本願明細書は、添付する特許請求の範囲内に含まれるそのような全ての代替案、変更、及び、変化を含むことを意図されている。
【符号の説明】
【００３３】
１０  電気手術機器システム
１２  器具
１６  吸引源
１８  コントロールユニット
２０  電源
２１  電気ケーブル
２２  導電体
２４  筐体
２６  ハンドル
２８  シャフト
３０  吸引チャネル
３２  遠位端部
３４  後端部
３６  吸引管
３８  空気入口バルブ
３８  バルブ
４２  バルブバレル
４４  部材
４６  第１のチャネル
４８  第２のチャネル
５０  固定穴
５２  導電体穴
５４  前方突出部
５６  後方突出部
５８  凹座面
６０  シール材
６２  穴
６４  メインセクション
６６  レッジ
６８  前方端部
７０  リム
７２  凹部
７４  中心線
７６  リング
７８  オリフィス
８０  外側横側面
８２  内側側面
８４  孔
８６  突出部
８８  凹領域
９０  突出部
９２  第１のセクション
９４  第２のセクション
９６  端部
１００  ロック
１０２  バイアスシステム
【図１】
0006758288.tif 000002
【図２】
0006758288.tif 000003
【図３】
0006758288.tif 000004
【図４】
0006758288.tif 000005
【図５】
0006758288.tif 000006
【図６】
0006758288.tif 000007
【図７】
0006758288.tif 000008
【図８】
0006758288.tif 000009
【図９】
0006758288.tif 000010
【図１０Ａ】
0006758288.tif 000011
【図１０Ｂ】
0006758288.tif 000012
【図１０Ｃ】
0006758288.tif 000013
【図１０Ｄ】
0006758288.tif 000014
【図１１】
0006758288.tif 000015